(57)【要約】【課題】  本発明はコンクリート構造物の天面のコテ均し作業において発生する余剰骨材を適切に逃がして、該余剰骨材に邪魔されることのない迅速且つ的確なコテ均しを実現する面取り用定規を提供する。【解決手段】  コンクリート構造物Ｃの出隅角Ｃ１の面取りを行う面取り部２を有する細長柱状の面取り用定規１であって、上記面取り部２の上端に上記コンクリート構造物Ｃの天面Ｃ２のレベルを設定する線状定規部４を形成し、該線状定規部４の背後にコテ均しで排除されるコンクリートの余剰骨材１４を受け入れる余剰骨材逃がし用凹部５を連成する構成とする。【選択図】  図２
2013087553.tif 000002
【特許請求の範囲】
【請求項１】
コンクリート構造物の出隅角の面取りを行う面取り部を有する細長柱状の面取り用定規であって、上記面取り部の上端に上記コンクリート構造物の天面のレベルを設定する線状定規部を形成し、該線状定規部の背後にコテ均しで排除されるコンクリートの余剰骨材を受け入れる余剰骨材逃がし用凹部を連成したことを特徴とする面取り用定規。
【請求項２】
上記線状定規部と上記余剰骨材逃がし用凹部間に狭幅のコテ案内面を形成し、該コテ案内面を介して上記余剰骨材逃がし用凹部を連成したことを特徴とする請求項１記載の面取り用定規。
【請求項３】
上記狭幅のコテ案内面を上記線状定規部と同レベルに形成したことを特徴とする請求項１又は請求項２の何れかに記載の面取り用定規。
【請求項４】
上記余剰骨材逃がし用凹部の後端に上記線状定規部より上方に突出する取付片を設け、該取付片をもって上記コンクリート構造物の側面規制用型枠に釘打ちする構成としたことを特徴とする請求項１乃至請求項３の何れかに記載の面取り用定規。
【発明の詳細な説明】
【技術分野】
【０００１】
本発明はコンクリート構造物、例えばコンクリートから成る擁壁、土間、玄関ステップ、ポーチ等の築造現場において、該コンクリート構造物の側面規制用型枠の内面に取り付けて、該コンクリート構造物の出隅角の面取り及び天面のコテ均しを行う際に用いる面取り用定規に関する。
【背景技術】
【０００２】
従来の面取り用定規として下記特許文献１に示すように、所謂面木と呼ばれる断面直角二等辺三角形を呈する細長柱体が既知である。
【０００３】
図６Ａに示すように、上記従来の面取り用定規２１は断面直角二等辺三角形の底辺をなす面を面取り部２１ａとしてコンクリート構造物Ｃの出隅角Ｃ１の面取りを行い、等寸の斜辺をなす二面の内、一方の面をコンクリート構造物Ｃの側面Ｃ３の規制用型枠１１の内面への当接部２１ｂとし、上記面取り部２１ａ側から上記側面規制用型枠１１に向け釘１２を打ち込んで該側面規制用型枠１１の内面に取り付け、図６Ｂ，図６Ｃに示すように、他方の面を上方に露出させて、コンクリート構造物Ｃの天面Ｃ２のコテ均しの際のコテを案内すると共に該天面Ｃ２のレベルを設定するコテ案内兼定規部２１ｃとする構成を有するものである。
【０００４】
図６Ｂに示すように、上記側面規制用型枠１１内にコンクリートを打設する際には、該コンクリートは上記側面規制用型枠１１の内面に付された墨線１５を超える高さに達するまで余裕を持って打設されるため、この余剰コンクリートを上記天面Ｃ２から排除しつつ該天面Ｃ２のコテ均しを行うこととなる。
【先行技術文献】
【特許文献】
【０００５】
【特許文献１】特開平１０−１２１７２２号公報
【発明の概要】
【発明が解決しようとする課題】
【０００６】
上記従来の面取り用定規２１は、図６Ｃに示すように、天面Ｃ２のコテ均しをする際に該天面Ｃ２から排除される余剰コンクリート、特に該余剰コンクリートに含まれる砕石、砂等の骨材が上記コテ案内兼定規部２１ｃの上面とコテ下面１３ａとの間に介在することにより、該コテ案内兼定規部２１ｃを基準としたコテ均しを的確に行うことができない問題点を有している。
【０００７】
そのため、上記コテ案内兼定規部２１ｃ上の余剰骨材を除去する作業が強いられ、迅速なコテ均しを達成できない問題点をも有している。
【課題を解決するための手段】
【０００８】
本発明に係る面取り用定規は上記従来の面取り用定規が抱える問題点を抜本的に解決し、迅速且つ的確な面取り及びコテ均しに貢献できる。
【０００９】
要述すると、本発明に係る面取り用定規はコンクリート構造物の出隅角の面取りを行う面取り部を有する細長柱状の面取り用定規であって、上記面取り部の上端に上記コンクリート構造物の天面のレベルを設定する線状定規部を形成し、該線状定規部の背後にコテ均しで排除されるコンクリートの余剰骨材を受け入れる余剰骨材逃がし用凹部を連成する構成を有し、作業者は上記余剰骨材逃がし用凹部に余剰骨材を逃がしつつ上記線状定規部を基準としてコンクリート構造物の天面のコテ均しができ、迅速且つ的確なコテ均しを行うことができる。
【００１０】
好ましくは、上記線状定規部と上記余剰骨材逃がし用凹部間に狭幅のコテ案内面を形成し、該コテ案内面を介して上記余剰骨材逃がし用凹部を連成する構成を有し、上記コテ案内面によりコテで上記余剰骨材逃がし用凹部にスムーズに余剰骨材を収容することができる。
【００１１】
更に好ましくは、上記狭幅のコテ案内面を上記線状定規部と同レベルに形成し、上記余剰骨材逃がし用凹部にスムーズに余剰骨材を逃がしつつ的確なコテ均しを行うことができる。
【００１２】
又上記余剰骨材逃がし用凹部の後端に上記線状定規部より上方に突出する取付片を設け、該取付片をもって上記コンクリート構造物の側面規制用型枠に釘打ちする構成とし、上記側面規制用型枠の内面へ容易に取り付けることができる。
【発明の効果】
【００１３】
本発明に係る面取り用定規は、コンクリート構造物の天面のコテ均し作業において発生する余剰骨材を適切に逃がして、該余剰骨材に邪魔されることのない迅速且つ的確なコテ均しを実現する。
【図面の簡単な説明】
【００１４】
【図１】本発明に係る面取り用定規の斜視図。
【図２】Ａは本発明に係る面取り用定規を側面規制用型枠に取り付けた状態を示す断面図、Ｂは上記側面規制用型枠内にコンクリートを打設した状態を示す断面図、Ｃは本発明に係る面取り用定規を用いてコテ均しをする状態を示す断面図。
【図３】Ａは本発明に係る面取り用定規のコテ案内面を下り傾斜するテーパー面とした実施例を示す断面図、Ｂは本発明に係る面取り用定規のコテ案内面を形成しない実施例を示す断面図、Ｃは本発明に係る面取り用定規のコテ案内面及び余剰骨材逃がし用凹部を当接部側にも形成した実施例を示す断面図、Ｄは本発明に係る面取り用定規の余剰骨材逃がし用凹部を断面三角形状に形成した実施例を示す断面図、Ｅは同余剰骨材逃がし用凹部を断面三角形状に形成した他例を示す断面図、Ｆは同余剰骨材逃がし用凹部を断面矩形状に形成した実施例を示す断面図。
【図４】本発明に係る面取り用定規の取付片を設けた実施例を示す断面図。
【図５】上記取付片を設け、面取り部を曲面とした実施例を示す断面図。
【図６】Ａは従来の面取り用定規を側面規制用型枠に取り付けた状態を示す断面図、Ｂは上記側面規制用型枠内にコンクリートを打設した状態を示す断面図、Ｃは従来の面取り用定規を用いてコテ均しをする状態を示す断面図。
【発明を実施するための形態】
【００１５】
本発明に係る面取り用定規の最良の形態を図１乃至図５に基づき説明する。
【００１６】
本発明に係る面取り用定規１は、図１に示すように、細長柱状を呈し、図２乃至図５にも示すように、後記するコンクリート構造物Ｃの出隅角Ｃ１の面取りを行う面取り部２と、該面取り部２の下端から上方に延び上記コンクリート構造物Ｃの側面Ｃ３の規制用型枠１１の内面に当接する当接部３とを有し、上記面取り部２の上端にコンクリート構造物Ｃの天面Ｃ２のレベルを設定する線状定規部４を形成し、該線状定規部４の背後にコテ均しで排除されるコンクリートの余剰骨材１４を受け入れる余剰骨材逃がし用凹部５を連成する。尚図中７は側面規制用型枠１１の墨線１５に合わせる狭幅の水平面から成る墨合わせ面である。
【００１７】
換言すると、本発明に係る面取り用定規１は断面において仮想三角形を構成する第一の頂点Ｐ１，第二の頂点Ｐ２，第三の頂点Ｐ３を有し、上記面取り部２を上記第一の頂点Ｐ１と上記第二の頂点Ｐ２間に有し、上記当接部３を上記第二の頂点Ｐ２と上記第三の頂点Ｐ３間に有し、上記面取り部２の上端、即ち断面における上記第一の頂点Ｐ１に上記線状定規部４を形成し、該線状定規部４の背後、即ち断面における上記第一の頂点Ｐ１と上記第三の頂点Ｐ３間に上記余剰骨材逃がし用凹部５を連成する。
【００１８】
上記余剰骨材逃がし用凹部５は、その幅Ｌ１を上記第一の頂点Ｐ１と上記第三の頂点Ｐ３間の幅Ｌ２の１／２以上とし、可及的に広く形成することが望ましい。又上記余剰骨材逃がし用凹部５は、その深さを可及的に深く形成することが望ましい。尚上記余剰骨材逃がし用凹部５の長手方向の両端は開放して形成する。
【００１９】
又上記余剰骨材逃がし用凹部５は図１，図２，図３Ａ乃至図３Ｃに示す断面円弧状に限らず、図３Ｄ,図３Ｅに示すように、断面三角形状に形成し、又は図３Ｆに示すように、断面矩形状に形成することも実施に応じ任意である。特に図１，図２，図３Ａ乃至図３Ｃに示す断面円弧状に形成した場合と、図３Ｄ,図３Ｅに示す断面三角形状に形成した場合は当該余剰骨材逃がし用凹部５に余剰骨材１４を受け入れ易くなると共に、同余剰骨材逃がし用凹部５にコテ１３の先端１３ｂを差し入れ易くなり、コンクリート構造物Ｃの天面Ｃ２の側端部のすりきりがし易くなる。
【００２０】
本発明に係る面取り用定規１は上記線状定規部４と上記余剰骨材逃がし用凹部５間に狭幅のコテ案内面６を形成し、該コテ案内面６を介して上記余剰骨材逃がし用凹部５を連成する。該コテ案内面６がコテ１３の先端１３ｂ又は下面１３ａを案内し迅速且つ的確なコテ均しに貢献する。
【００２１】
上記狭幅のコテ案内面６は図２，図３Ｃ乃至図３Ｆに示すように、上記線状定規部４と同レベル、即ち上記線状定規部４と同一の高さの水平面として形成する。この場合、上記線状定規部４（上記第一の頂点Ｐ１）,上記コテ案内面６,上記墨合わせ面７及び上記第三の頂点Ｐ３は同一水平面上に並び、的確なコテ均しに貢献する。
【００２２】
又は上記コテ案内面６は、図３Ａに示すように、上記線状定規部４から上記余剰骨材逃がし用凹部５へ向けて逃げ角αをもって下り傾斜するテーパー面として形成し、よりスムーズに上記余剰骨材逃がし用凹部５に余剰骨材１４を受け入れ易くすると共に、上記余剰骨材逃がし用凹部５にコテ１３の先端１３ｂを差し入れ易くして、コンクリート構造物Ｃの天面Ｃ２の側端部のすりきりを容易にする。この場合、上記線状定規部４（上記第一の頂点Ｐ１）,上記墨合わせ面７及び上記第三の頂点Ｐ３は同一水平面上に並び、的確なコテ均しに貢献する。
【００２３】
又は図３Ｂに示すように、本発明に係る面取り用定規１は上記コテ案内面６を形成せず、上記線状定規部４から直接上記余剰骨材逃がし用凹部５を連続して形成し、当該余剰骨材逃がし用凹部５に余剰骨材１４を更に受け入れ易くし、コテ１３の先端１３ｂを差し入れ易くすることを排除しない。この場合、上記線状定規部４（上記第一の頂点Ｐ１）,上記墨合わせ面７及び上記第三の頂点Ｐ３は同一水平面上に並び、的確なコテ均しに貢献する。
【００２４】
図３Ｃに示すように、前記した線状定規部４，余剰骨材逃がし用凹部５，コテ案内面６、墨合わせ面７を上記当接部３側にも形成し、即ち一対の線状定規部４，一対の余剰骨材逃がし用凹部５，一対のコテ案内面６、一対の墨合わせ面７を線対称に形成することもでき、築造現場において、面取り部２のみを所定位置に配置させれば、何れかの線状定規部４，余剰骨材逃がし用凹部５，コテ案内面６、墨合わせ面７を上方に露出させて迅速に側面規制用型枠１１に取り付けることができる。
【００２５】
換言すると、断面における上記第一の頂点Ｐ１と上記第二の頂点Ｐ２の双方に線状定規部４を形成し、上記第一の頂点Ｐ１に形成された線状定規部４の背後に狭幅のコテ案内面６を介して余剰骨材逃がし用凹部５を連成し、該余剰骨材逃がし用凹部５の背後に狭幅の墨合わせ面７を連成し、該狭幅の墨合わせ面７の後端が上記第三の頂点Ｐ３となる。
【００２６】
同様に上記第二の頂点Ｐ２に形成された線状定規部４の背後に狭幅のコテ案内面６を介して余剰骨材逃がし用凹部５を連成し、該余剰骨材逃がし用凹部５の背後に狭幅の墨合わせ面７を連成し、該狭幅の墨合わせ面７の後端が上記第三の頂点Ｐ３となる。
【００２７】
又図４，図５は上記余剰骨材逃がし用凹部５の後端に取付片８を設けた実施例を示している。
【００２８】
上記取付片８は面取り部２の上端に形成された線状定規部４より上方に突出するように設け、該取付片８の表面に面取り用定規１の取り付け時に使用する釘１２の先端の滑り止めとなる凹凸部９又は段部９を形成し、該面取り用定規１の側面規制用型枠１１への取付作業を容易にする。
【００２９】
換言すると、断面において仮想三角形を構成する第一の頂点Ｐ１と第二の頂点Ｐ２間に面取り部２を有し、該面取り部２の上端、即ち上記第一の頂点Ｐ１に線状定規部４を形成し、該線状定規部４の背後に狭幅のコテ案内面６を介して余剰骨材逃がし用凹部５を連続して形成し、該余剰骨材逃がし用凹部５の後端に上記取付片８を連続して設け、該取付片８の上端が上記線状定規部４より上方に突出するように構成する。
【００３０】
従って、図４,図５に示すように、断面における仮想三角形を構成する第三の頂点Ｐ３は上記第一の頂点Ｐ１（線状定規部４）よりも上方に位置することとなる。
【００３１】
尚図５に示すように、上記面取り部２を曲面状に形成し、曲面状に膨出した出隅角Ｃ１を形成することもできる。前記した取付片８を設けない面取り用定規１においても同様であることは言うまでもない。
【００３２】
又本発明は上記取付片８にスリット又は小窓又は貫通孔等を設けて、該スリット等により側面規制用型枠１１の内面に付された墨線１５を確認する構成とすることを排除しない。
【００３３】
次に図２,図４,図５により本発明に係る面取り用定規１の実際の使用について説明する。
【００３４】
まず、図２Ａに示すように、コンクリート構造物Ｃの側面Ｃ３を規制する型枠１１に本発明に係る面取り用定規１を固定して取り付ける。
【００３５】
この際には上記当接部３を上記側面規制用型枠１１の内面に当接し、該側面規制用型枠１１の内面に示される墨線１５に上記墨合わせ面７を一致させて位置決めした後、面取り部２側から釘１２を打ち込むことにより固定し取り付ける。尚本発明は釘１２の代わりにタッカー等によりＵ字状又はコ字状のステープルを打ち込むことを排除しない。
【００３６】
又は図４,図５に示すように、上記取付片８を設ける場合には、上記取付片８の表面の凹凸部９又は段部９により釘１２の先端の滑り止めを図りつつ該釘１２を打ち込むことができ、容易に上記側面規制用型枠１１に取り付けることができると共に、上記釘１２の頭部が硬化前コンクリートに接してしまう恐れもない。
【００３７】
次いで、図２Ｂに示すように、上記側面規制用型枠１１内にコンクリートを打設する。該コンクリートは上記側面規制用型枠１１内面の墨線１５及び上記線状定規部４を越える高さに達するまで余裕を持って打設される。尚この状態においては、コンクリート構造物Ｃの天面Ｃ２は不揃いな凹凸面を有しており、平らではない。
【００３８】
そのため、図２Ｃに示すように、コテ１３により余裕を持って打設された余剰コンクリートを天面Ｃ２から排除しつつ、該天面Ｃ２のコテ均しを行う。
【００３９】
この際にはコテ均しにより排除される余剰コンクリートに含まれる余剰骨材１４が余剰骨材逃がし用凹部５に受け入れられて、上記線状定規部４上又は上記コテ案内面６上に残ることがない。そのため、コテ１３の下面１３ａ及び先端１３ｂを上記線状定規部４又は上記コテ案内面６に正確に当てることができ、迅速且つ的確なコテ均しを行うことができる。
【００４０】
以上のように、本発明に係る面取り用定規１は上記面取り部２の上端に上記コンクリート構造物Ｃの天面Ｃ２のレベルを設定する線状定規部４を形成し、該線状定規部４の背後にコテ均しで排除されるコンクリートの余剰骨材１４を受け入れる余剰骨材逃がし用凹部５を連成し、作業者は該余剰骨材逃がし用凹部５に余剰骨材１４を逃がしつつ上記線状定規部４を基準としてコンクリート構造物Ｃの天面Ｃ２のコテ均し作業を遂行でき、迅速且つ的確なコテ均しを行うことができる。
【符号の説明】
【００４１】
１…面取り用定規、２…面取り部、３…当接部、４…線状定規部、５…余剰骨材逃がし用凹部、６…コテ案内面、７…墨合わせ面、８…取付片、９…凹凸部又は段部、１１…側面規制用型枠，１２…釘、１３…コテ，１３ａ…コテ下面、１３ｂ…コテ先端、１４…余剰骨材（余剰コンクリート）、１５…墨線、２１…従来の面取り用定規、２１ａ…面取り部、２１ｂ…当接部、２１ｃ…コテ案内兼定規部、Ｐ１…断面における仮想三角形を構成する第一の頂点、Ｐ２…断面における仮想三角形を構成する第二の頂点、Ｐ３…断面における仮想三角形を構成する第三の頂点、Ｌ１…余剰骨材逃がし用凹部の幅寸法、Ｌ２…上記第一の頂点Ｐ１と上記第三の頂点Ｐ３間の幅寸法、Ｃ…コンクリート構造物，Ｃ１…コンクリート構造物の出隅角，Ｃ２…コンクリート構造物の天面、Ｃ３…コンクリート構造物の側面。
【図１】
2013087553.tif 000003
【図２】
2013087553.tif 000004
【図３】
2013087553.tif 000005
【図４】
2013087553.tif 000006
【図５】
2013087553.tif 000007
【図６】
2013087553.tif 000008